(57)【特許請求の範囲】
【請求項１】
画像データに基づき記録媒体に印刷を行うため画像を形成する画像形成部と、
原稿に光を照射するためのランプと、通常時のシェーディング補正を行う際の白基準を得るためのシェーディング板と、前記ランプから原稿に当たった光の反射光により原稿を読みとるイメージセンサとを有する画像読取部と、
前記イメージセンサの出力した読取値を白基準と黒基準の間で、各画素について階調を決定して画素値を出力し、画像データを出力するシェーディング補正部と、
それぞれ濃度が異なる複数のパッチと、前記画像形成部が形成可能な最大濃度パターンが配され、その印刷結果を前記画像読取部で読み取って階調補正の設定に利用する調整用チャートの画像データを記憶する記憶部と、
画像データ内の各画素の画素値を変換する画素値変換部を有する階調補正設定部と、を備え、
前記画像形成部により印刷された前記調整用チャートを前記画像読取部で読み取ることにより階調補正の設定を行う場合、
前記シェーディング補正部は、印刷された前記調整用チャートの読み取り時に、前記シェーディング板を読み取った際の読取値を通常時の白基準として取得しておき、又、前記ランプの消灯時の読取値を通常時の黒基準として取得しておき、更に、前記調整用チャートが印刷された記録媒体の色を読み取った際の読取値を階調補正設定時の白基準とし、前記最大濃度パターンの読取値を階調補正設定時の黒基準とし、前記階調補正設定時の白基準と黒基準の範囲で各前記パッチの第１の画素値を出力し、
前記画素値変換部は、各前記パッチの前記第１の画素値を換算して、前記シェーディング補正部が取得しておいた前記通常時の白基準及び黒基準の範囲における各パッチの第２の画素値を得ることを特徴とする画像形成装置。
【請求項２】
階調補正の設定を行う場合、
前記シェーディング補正部は、前記通常時の白基準と黒基準の範囲で、印刷された前記調整用チャートの記録媒体の色の画素値と、前記最大濃度パターンの画素値を取得しておき、
前記画素値変換部は、前記記録媒体の色の画素値を前記通常時の白基準に、前記最大濃度パターンの画素値を前記通常時の黒基準に、比例的に一致させてレンジを変更することにより前記第１の画素値を前記第２の画素値に換算することを特徴とする請求項１に記載の画像形成装置。
【請求項３】
前記階調補正設定部は、前記第２の画素値と前記調整用チャートの画像データの各パッチの画素値との対比に基づき階調補正特性データを算出する階調補正特性算出部を有し、算出した前記階調補正特性データを記憶することを特徴とする請求項１又は２記載の画像形成装置。
【請求項４】
画像形成時、入力画像データに対して前記階調補正特性データに基づき階調補正を施して画像データを出力する階調補正部、及び／又は、前記階調補正特性データに基づき前記画像形成部の画像形成条件を調整する画像形成調整部を備えることを特徴とする請求項３記載の画像形成装置。
【請求項５】
前記画像形成部は、黒色を含む複数色のトナーを用いてカラーのトナー像を形成し、
前記調整用チャートは、複数色分の複数の前記パッチと、黒色の前記最大濃度パターンで形成され、
前記画像読取部は、階調補正設定時、カラーの前記調整用チャートを読み取ることを特徴とする請求項１乃至４のいずれか１項に記載の画像形成装置。
【発明の詳細な説明】
【技術分野】
【０００１】
本発明は、調整用チャートを読み取って階調補正の設定を行い、形成される画像の階調補正を行う画像形成装置に関する。
【背景技術】
【０００２】
従来、感光体ドラムに静電潜像を形成し、静電潜像をトナーにより現像して、トナー像を用紙等に転写して印刷を行う画像形成装置がある（いわゆる電子写真方式）。この電子写真方式の画像形成装置では、設置環境（湿度や温度）や、装置の使用期間が長期にわたることによる感光体ドラムや現像剤の疲労や、画像形成装置を構成する部材の特性等の要因により、印刷画像における階調（濃淡の度合）が変化することがある。例えば、この変化により、画像の濃い部分と薄い部分の濃度差が少なくなるなどして階調を適切に表現できなくなるので、階調補正を行って、形成される画像の階調を適切なものとすることが必要となる。
【０００３】
このような階調補正を行う画像形成装置が特許文献１に記載されている。具体的に特許文献１には、原稿読み取り手段と、カラー画像を記録媒体に記録する画像記録手段を備え、γ変換特性が異なり、且つ色成分毎に設けられた複数のγテーブルと、所定の濃度の階調パターンの画像信号を発生し、この階調パターン画像を画像記録手段が記録媒体上に記録し、階調パターンの所定の濃度と記録媒体を原稿読み取り手段が読み取った場合の階調パターンの濃度とを比較して複数のγテーブルから最適なγテーブルを選択するγテーブル選択手段とを有するカラー画像形成装置が記載されている。この構成により、ユーザが希望する階調を再現しようとする（特許文献１：請求項１、段落[０００５]等参照）。
【特許文献１】特開平０９−１７２５４７号公報
【発明の開示】
【発明が解決しようとする課題】
【０００４】
特許文献１記載の発明のように、階調パターン（複数のパッチ）を印刷して、その階調パターンをスキャナ等で読み取りを行って階調補正を行うことがある。ここで、一般に、スキャナ等で画像データを得る場合、ランプの発光ムラや、原稿に反射した光を受光するスキャナ内のイメージセンサの各画素の感度のバラツキを補正するため、シェーディング補正が行われる。そして、一般にシェーディング補正における白基準は、スキャナ等に設けられるほぼ純白の白色板（以下、「シェーディング板」と称する。）を読み取ることで取得し、黒基準は、ランプの無点灯状態で読み取りを行って取得する。この白基準と黒基準におけるイメージセンサの出力（例えば電圧）の間で階調（例えば、８ビットの２５６階調）が定められ、各画素についてイメージセンサの出力の量子化を行って、その結果、全体の画像データが得られる。
【０００５】
しかし、一般に、用紙の色よりもシェーディング板の方が白く、又、設置環境における影響や感光体ドラム等の疲労等により、印刷物における最大濃度よりも無点灯状態での読取値の方が暗い（黒い）ので、実際には、印刷物の濃度域はシェーディング補正における白基準と黒基準間の濃度域よりも狭くなる。従って、階調パターンを読み取る際に、通常のシェーディング補正の黒基準と白基準により階調をとると濃度域が広すぎるので、量子化における１段階あたりの刻み幅が広くなり、量子化誤差が生じやすく、階調パターンの各パッチについて精細な画素値（階調データ）を得難いという問題がある。
【０００６】
確かに、特許文献１記載の発明によれば、階調補正を行うことができ、一定の効果があると考えられるが、階調パターンの各パッチの高精度な画素値（データ）を得難いという問題については対応できない。例えば、量子化における刻み幅が大きいので、印刷物では濃度が違っていると認識できるものの、画像データでの画素値は同じということが生じる場合があり、これでは、正確な階調補正を行うことができない。
【０００７】
本発明は、上記従来技術の問題点に鑑みてなされたものであり、階調補正設定時に、印刷物における濃度域に基づき、各パッチの読取を行って、高精度に各パッチのデータを得て階調補正に利用することを課題とする。又、正確に得られた階調補正特性データに基づき、的確な階調補正を行うことを課題とする。
【課題を解決するための手段】
【０００８】
請求項１に係る画像形成装置は、画像データに基づき記録媒体に印刷を行うため画像を形成する画像形成部と、原稿に光を照射するためのランプと、通常時のシェーディング補正を行う際の白基準を得るためのシェーディング板と、前記ランプから原稿に当たった光の反射光により原稿を読みとるイメージセンサとを有する画像読取部と、前記イメージセンサの出力した読取値を白基準と黒基準の間で、各画素について階調を決定して画素値を出力し、画像データを出力するシェーディング補正部と、それぞれ濃度が異なる複数のパッチと、前記画像形成部が形成可能な最大濃度パターンが配され、その印刷結果を前記画像読取部で読み取って階調補正の設定に利用する調整用チャートの画像データを記憶する記憶部と、画像データ内の各画素の画素値を変換する画素値変換部を有する階調補正設定部と、を備え、前記画像形成部により印刷された前記調整用チャートを前記画像読取部で読み取ることにより階調補正の設定を行う場合、前記シェーディング補正部は、印刷された前記調整用チャートの読み取り時に、前記シェーディング板を読み取った際の読取値を通常時の白基準として取得しておき、又、前記ランプの消灯時の読取値を通常時の黒基準として取得しておき、更に、前記調整用チャートが印刷された記録媒体の色を読み取った際の読取値を階調補正設定時の白基準とし、前記最大濃度パターンの読取値を階調補正設定時の黒基準とし、前記階調補正設定時の白基準と黒基準の範囲で各前記パッチの第１の画素値を出力し、前記画素値変換部は、各前記パッチの前記第１の画素値を換算して、前記シェーディング補正部が取得しておいた前記通常時の白基準及び黒基準の範囲における各パッチの第２の画素値を得ることとした。
【０００９】
この構成によれば、階調補正設定時には、用紙の色を白基準とし、最大濃度パターンを黒基準とするので、調整用チャートの各パッチの画素値を高精度に得ることができる。さらに、高精度に求められた各パッチの階調値を通常時の読み取り範囲に適用することができる。そして、高精度に得られた各パッチの画素値を、例えば、製品出荷時や、製品設置時や、メンテナンス時の階調補正の設定に利用することができる。
【００１０】
又、請求項２に係る発明は、請求項１に記載の画像形成装置において、階調補正の設定を行う場合、前記シェーディング補正部は、前記通常時の白基準と黒基準の範囲で、印刷された前記調整用チャートの記録媒体の色の画素値と、前記最大濃度パターンの画素値を取得し、前記画素値変換部は、前記記録媒体の色の画素値を前記通常時の白基準に、前記最大濃度パターンの画素値を前記通常時の黒基準に、比例的に一致させてレンジを変更することにより前記第１の画素値を前記第２の画素値に換算することとした。
【００１１】
この構成によれば、記録媒体の色を通常時の白基準を一致させ、最大濃度パターンの画素値を通常時の黒基準に比例的に一致させるので、的確に画素値の換算を行うことができる。尚、本発明の好適な実施形態の１つである。
【００１２】
又、請求項３に係る発明は、請求項１又は２記載の画像形成装置において、前記階調補正設定部は、前記第２の画素値と前記調整用チャートの画像データの各パッチの画素値との対比に基づき階調補正特性データを算出する階調補正特性算出部を有し、算出した前記階調補正特性データを記憶することとした。
【００１３】
この構成によれば、第２の画素値と調整用チャートの画像データの各パッチの画素値との対比に基づき階調補正特性データを算出するので、このデータに基づき、階調補正を実施することができ、印刷結果において、適切に階調を再現することができる。尚、本発明の好適な実施形態の１つである。
【００１４】
又、請求項４に係る発明は、請求項３記載の画像形成装置において、画像形成時、入力画像データに対して前記階調補正特性データに基づき階調補正を施して画像データを出力する階調補正部、及び／又は、前記階調補正特性データに基づき前記画像形成部の画像形成条件を調整する画像形成調整部を備えることとした。
【００１５】
この構成によれば、画像形成時、入力画像データに対して階調補正特性データに基づき階調補正を施して画像データを出力する階調補正部を備えるので、画像データにおける各画素の画素値を補正して階調補正を行うことができる。又、階調補正特性データに基づき画像形成部の画像形成条件を調整する画像形成調整部を備えるので、画像形成条件を変更して階調補正を行うこともできる。
【００１６】
又、請求項５に係る発明は、請求項１乃至４の画像形成装置において、前記画像形成部は、黒色を含む複数色のトナーを用いてカラーのトナー像を形成し、前記調整用チャートは、複数色分の複数の前記パッチと、黒色の前記最大濃度パターンで形成され、前記画像読取部は、階調補正設定時、カラーの前記調整用チャートを読み取ることとした。
【００１７】
この構成によれば、カラー画像を形成する画像形成装置において、適切な階調補正を行うことができる。
【発明の効果】
【００１８】
上述したように本発明によれば、階調補正の設定時に、高精度に各パッチの画素値を求めることができるから、階調補正の設定に利用する高精度なデータを得ることができる。そして、高精度に求められたデータに基づき、階調補正の特性を決定することができるから、階調補正を的確に行うことができる。
【発明を実施するための最良の形態】
【００１９】
以下、本発明の実施形態について図１〜１０を参照しつつ説明する。但し、各実施の形態に記載されている構成、配置等の各要素は、発明の範囲を限定するものではなく単なる説明例にすぎない。
【００２０】
まず、図１及び図２により本発明の実施形態に係る複写機１（画像形成装置に相当）の概略を説明する。図１は、本発明の実施形態に係る複写機１の模型的正面断面図である。図２の（ａ）は原稿搬送装置２と画像読取部３の部分拡大図、（ｂ）は画像形成部５の一部拡大模型的断面図である。
【００２１】
（複写機１の構成の概要）
まず、図１に基づき、複写機１の画像形成動作の概要を説明する。図１に示すように、複写機１の最上部には原稿搬送装置２（詳細は後述）が設置され、その下部に、原稿の画像を読み取る画像読取部３（詳細は後述）が配される。そして、複写機１の内部には、シート供給部４０、シート搬送路４５、画像形成部５（詳細は後述）、中間転写部６、定着装置６７等が配される。
【００２２】
尚、複写機１の正面前方には、複写機１の動作開始を指示するためのスタートキー７１や、機能を設定するための機能設定キー７２や、液晶表示部７３を有する操作パネル７を設けることができる（図１に破線で図示）。例えば、液晶表示部７３は、タッチパネル方式でメニュー選択により設定指示を行え、又、使用者に対し複写機１の状態などの情報伝達の表示を行う。
【００２３】
前記シート供給部４０は、記録媒体として用紙（Ａ４、Ｂ４等の各サイズ）等のシートを収納し、画像形成の際、シートを供給する。前記シート搬送路４５は、供給されたシートを排出トレイ４６まで搬送する。そのため、シート搬送路４５には、案内のためのガイド板４７や搬送ローラ対４８等が複数設けられる。
【００２４】
前記中間転写部６は、画像形成部５の下方に設けられ、画像データに基づき、画像形成部５の各感光体ドラム５２の周面に形成されたトナー像の１次転写を受け、シートにトナー像の２次転写を行う部分である。そして、中間転写部６の中間転写ベルト６１は、上側の外周面と各感光体ドラム５２が当接するように、駆動ローラ６２と従動ローラ６３と４本の１次転写ローラ６４に張架される。駆動ローラ６２にはモータ、ギア等の駆動手段（不図示）が接続され、その駆動により、中間転写ベルト６１は、図１において時計方向（矢印方向）に周回する。ここで、１次転写ローラ６４は、各感光体ドラム５２に対向して１本ずつ回転可能に配され、１次転写ローラ６４に所定の大きさの電圧（バイアス）が、タイミングを合わせて印加されることで、各色のトナー像が、各感光体ドラム５２から中間転写ベルト６１に１次転写される。この１次転写の際、各色のトナー像は重ね合わせられ、カラーのトナー像が形成される。
【００２５】
シートへの２次転写は、具体的には、中間転写ベルト６１に当接し、駆動ローラ６２に対向し、回転可能に支持される２次転写ローラ６５と中間転写ベルト６１のニップにシートとトナー像が進入した際、所定の電圧（バイアス）が２次転写ローラ６５に印加され、トナー像はシートに２次転写される。ベルトクリーニング装置６６は、残トナー等を中間転写ベルト６１から除去し、清掃する。定着装置６７は、シートに転写されたトナー像を定着させる。定着装置６７をシートが通過するとトナーが溶融・加熱され、トナー像がシートに定着する。その後、シートは排出トレイ４６に排出され、画像形成が完了する。
【００２６】
（原稿搬送装置２、画像読取部３、画像形成部５の構成）
次に、図２（ａ）に基づき、原稿搬送装置２と画像読取部３について説明する。まず、原稿搬送装置２は、読み取りを行う原稿を載置する原稿トレイ２１、原稿の搬送を行う複数の原稿搬送ローラ対２２、原稿搬送路２３、原稿排出トレイ２４を備え、原稿トレイ２１上の原稿を１枚ずつ原稿搬送路２３に送り出す。送り出された原稿は、画像読取部３上面の送り読取用コンタクトガラス３３ａに接するように自動かつ連続的に搬送される。又、原稿搬送装置２は、紙面奥側設けられた支点（不図示）により、上方に持ち上げ可能であり、例えば書籍等の原稿を画像読取部３の上面の載置読取用コンタクトガラス３３ｂに載せることもできる。
【００２７】
次に、前記画像読取部３は、スキャナとしてユニット化され、原稿に光を照射し、その反射光に基づき原稿を読み取って画像データを生成する。そのため、主走査方向（原稿搬送方向と垂直な方向）に伸び、原稿に光を照射するためのランプ３０ａと複数のミラー３０ｂを備えた移動枠３０、原稿の反射光を結像するレンズ３１、複数のラインで受光素子が配され、ランプ３０ａから原稿に当たり、レンズ３１で結像された反射光が入射されることにより原稿を読みとるイメージセンサ３２（例えばＣＣＤ）等が設けられ、光学的に原稿を走査する。原稿搬送装置２により原稿を読み取る時は、移動枠３０は、送り読取用コンタクトガラス３３ａの下方で固定され、一方、載置読取用コンタクトガラス３３ｂ上の原稿を読み取るときは、巻取ドラム３４ａの回転駆動により移動枠３０を水平方向に移動させて読み取りが行われる（移動枠３０と巻取ドラム３４ａは、ワイヤ３４ｂで接続される）。尚、画像データの生成の詳細は後述する。
【００２８】
ここで、送り読取用コンタクトガラス３３ａと載置読取用コンタクトガラス３３ｂの間には、原稿の搬送をガイドするガイド部材３５が設けられ、そして、ガイド部材３５の下方には、通常時のシェーディング補正を行う際の白基準を得るためのシェーディング板３６が設けられる。シェーディング板３６は、主走査方向（原稿搬送方向と垂直な方向）に伸びる白色の板であり、このシェーディング板３６を読み取り、シェーディング補正における画像データにおける白色の基準（白基準）とする。一方、シェーディング補正における黒基準は、ランプ３０ａの無点灯状態の読取値を基準とすることができる。
【００２９】
次に、画像形成部５を図１及び図２（ｂ）に基づき説明する。画像形成部５は、画像データに基づき記録媒体に印刷を行うため画像（トナー像）を形成する。そして、画像形成部５は、図１に示すように、４つの画像形成ユニット５０Ｋ（ブラックのトナー像を形成）、５０Ｃ（シアンのトナー像を形成）、５０Ｍ（マゼンタのトナー像を形成）、５０Ｙ（イエローのトナー像を形成）と、画像データに基づき、光による走査・露光を各感光体ドラム５２に対し行って、静電潜像を形成する露光装置としてのＬＳＵ５１（Laser Scanning Unit）で構成される。従って、本実施形態の複写機１の画像形成部５は、黒色を含む複数色のトナーを用いてカラートナー像（カラー画像）を形成可能である。尚、各画像形成ユニット５０は、使用するトナーの色が異なるが、基本的構成は同様であるから以下の説明では特に説明する場合を除き、Ｋ、Ｙ、Ｃ、Ｍの記号は省略する。
【００３０】
そして、図２（ｂ）に示すように、各画像形成ユニット５０は、同図中に示す矢印方向に回転可能に支持され、中間転写ベルト６１の周回方向（＝シート搬送方向）と垂直な方向に延び、モータ（不図示）等により、所定の方向に回転駆動される感光体ドラム５２を備える。感光体ドラム５２の周囲には、感光体ドラム５２の表面を所定電位に均一に帯電させる帯電装置５３と、トナーを担持し、トナーを感光体ドラム５２に飛翔させるため現像バイアスが印加される現像ローラ５４を備え、静電潜像に帯電したトナーを供給して現像（可視像化）する現像装置５５と、感光体ドラム５２の表面を清掃するクリーニング部５６を備える。これらの構成により、各感光体ドラム５２の周面にトナー像が形成され、中間転写部６に１次転写されることになる。
【００３１】
（複写機１の制御におけるハードウェア構成）
次に、図３に基づき、複写機１のハードウェア構成について説明する。図３は、本発明の第１の実施形態に係る複写機１のハードウェア構成の一例を示すブロック図である。
【００３２】
図３に示すように、本実施形態に係る複写機１は、内部に制御部８を有する。制御部８は、複写機１全体の動作を制御し、例えば、ＣＰＵ８１、記憶部８２等から構成される。
【００３３】
前記ＣＰＵ８１は、中央演算処理装置であって、記憶部８２に格納され、展開される制御プログラムに基づき複写機１の各部の制御や演算を行う。前記記憶部８２は、ＲＯＭ、ＲＡＭ、ＨＤＤ、フラッシュＲＯＭ等の記憶装置で構成される。記憶部８２は、複写機１の制御用プログラム、制御用データ、設定データ、画像読取部３でスキャンした画像データ等を記憶する。尚、本発明に関し、記憶部８２には、調整用チャートＣＨの画像データを記憶しておくことができる。
【００３４】
そして、制御部８は、複写機１を構成する原稿搬送装置２、画像読取部３、シート供給部４０、シート搬送路４５、中間転写部６、画像形成部５、定着装置６７、画像処理部９（詳細は後述）、操作パネル７等と接続され、記憶部８２の制御プログラムやデータに基づき、適切に画像形成が行われるように各部の動作を制御する。
【００３５】
更に、制御部８は本発明に関し、階調補正を行って画像形成を行う場合、画像形成部５の画像形成条件を調整することができる（画像形成調整部に相当）。例えば、制御部８は、画像形成部５における現像装置５５での現像ローラ５４に印加する現像バイアスを変化させることで、静電潜像の現像時に感光体ドラム５２に飛翔するトナーの量を変化させ印刷画像の濃度調整を行うことができる。又、帯電装置５３による感光体ドラム５２の帯電電位によって、形成される画像の濃度は変化するので、制御部８は、帯電装置５３の印加電位を調整・制御することで、印刷画像の濃淡を調整することができる。又、例えば、中間転写部６の１次転写ローラ６４及び２次転写ローラ６５に印加されるバイアスを変化させると、シートに転写されるトナーの量が変化するので、制御部８は、１次転写ローラ６４及び２次転写ローラ６５に印加されるバイアスを調整・制御して形成される画像の濃度調整を行うことができる。
【００３６】
（画像データの生成と処理）
次に、図４に基づき、本発明の実施形態に係る画像読取部３及び画像処理部９での画像データの流れを説明する。図４は、本発明の実施形態に係る画像読取部３や画像処理部９の一例を示すブロック図である。
【００３７】
まず、画像読取部３での画像データ生成では、イメージセンサ３２は、反射光の強さに応じて画素ごとに電流（電圧）を出力する。尚、本実施形態の複写機１のイメージセンサ３２は、カラー対応のものを搭載し、Ｒ、Ｇ、Ｂの各信号を出力する。そして、イメージセンサ３２の各出力電流（電圧）を増幅部３７で増幅し、例えば、ＩＣチップ等で構成されるＡ／Ｄ変換及びシェーディング補正部３８が各出力電流（電圧）のデジタル化を行う。本実施形態のＡ／Ｄ変換及びシェーディング補正部３８（シェーディング補正部に相当）は、白黒の画像データの場合、１画素当たり８ビット（２５６階調）、カラーの場合は、ＲＧＢで１画素当たり、計２４ビットに量子化を行う（Ｒｅｄ＝８ビット、Ｇｒｅｅｎ＝８ビット、Ｂｌｕｅ＝８ビット、それぞれ０〜２５５の値を取り、２５６階調）。即ち、Ａ／Ｄ変換及びシェーディング補正部３８は、イメージセンサ３２の出力した読取値を白基準と黒基準の間で、各画素について階調を決定して画素値を出力し、画像データを出力する。尚、Ａ／Ｄ変換及びシェーディング補正部３８は、原稿を読み取って得られたＲ，Ｇ，Ｂの信号に対し、画像読取部３における露光ランプ３０ａの露光分布特性や光電変換素子の感度分布特性等の補正も行う。
【００３８】
具体的な白基準と黒基準について、Ａ／Ｄ変換及びシェーディング補正部３８は、通常の原稿読取時、シェーディング板３６を読み取った際のイメージセンサ３２における各受光素子の読取値（イメージセンサ３２の各受光素子の出力値）を通常時の白基準として取得しておき、又、ランプ３０ａの消灯時のイメージセンサ３２における各受光素子の読取値（イメージセンサ３２の各受光素子の出力値）を通常時の黒基準として取得しておき、この通常時の白基準と通常時の黒基準の出力値の範囲で各画素の濃淡を表す画素値を決定する。その結果、通常時、Ａ／Ｄ変換及びシェーディング補正部３８では、カラーの画像データの場合、ランプ３０ａの消灯時のイメージセンサ３２の読取値は、（Ｒ；Ｇ；Ｂ＝０，０，０）と量子化され、シェーディング板３６を読み取った際のイメージセンサ３２の読取値は、（Ｒ；Ｇ；Ｂ＝２５５，２５５，２５５）と量子化される。
【００３９】
更に、Ａ／Ｄ変換及びシェーディング補正部３８は、階調補正の設定時には、後述する調整用チャートＣＨが印刷された用紙等の記録媒体としてのシートの色を読み取った際のイメージセンサ３２における各受光素子の読取値（イメージセンサ３２の各受光素子の各受光素子の出力値）を階調補正の設定における白基準とし、調整用チャートＣＨに形成される最大濃度パターンＤｍａのイメージセンサ３２の読取値（イメージセンサ３２の各受光素子の出力値）を階調補正の設定における黒基準とし、この階調補正設定時の白基準と黒基準のイメージセンサ３２の出力値の範囲で各画素の画素値を出力することもできる。即ち、通常時とは異なる白基準と黒基準の間で読み取り階調を決定し、画素値を出力することができる。例えば、最大濃度パターンＤｍａ（例えば、黒トナーで形成）のイメージセンサ３２の読取値は、（Ｒ；Ｇ；Ｂ＝０，０，０）と量子化され、用紙等の色を読み取った際のイメージセンサ３２の読取値は、（Ｒ；Ｇ；Ｂ＝２５５，２５５，２５５）と量子化される。
【００４０】
上述した画像読取部３で形成された原稿画像の画像データは、画像処理部９に入力される。本実施形態の画像処理部９は、画像データに関する演算や作業領域としてのワークＲＡＭや、専用回路としてのＡＳＩＣ等を組み合わせて構成される回路である。尚、制御部８のＣＰＵ８１や記憶部８２に画像処理プログラムを格納してソフトウェア的に画像処理部９を実現することもできる。そして、この画像処理部９は、例えば、階調補正部９１、色空間変更部９２、黒生成処理部９３、濃度変換処理部９４、拡大・縮小処理部９５、フィルタ処理部９６、出力処理部９７を備える。
【００４１】
前記階調補正部９１は、階調補正設定時に設定された階調補正特性に基づき、画像を印刷した場合に、適切に階調が現れるように各画素の濃度を表す画素値の補正処理を行う部分である。又、階調補正部９１には、γ補正を行うため、各色について複数のγ特性曲線を記憶したルックアップテーブルが備えられていても良い。
【００４２】
色空間変更部９２は、ＲＧＢ形式の画像データを、Ｃ（シアン）、Ｍ（マゼンタ）、Ｙ（イエロー）の濃度に応じたＣＭＹ形式に変換する処理を行う。黒生成処理部９３は、ＣＭＹ形式のカラー画像データから黒の画像データＫを生成する。濃度変換処理部９４は、画像形成部５の出力特性や操作パネル７等による使用者の濃度変更設定等を考慮して、Ｃ、Ｍ、Ｙ、Ｋの信号の色補正処理を行う。拡大・縮小処理部９５は、設定倍率等に応じて画像の拡大／縮小処理を行う。フィルタ処理部９６は、文字領域であればエッジ強調処理を、写真領域および網点領域であれば平滑処理を施し、形成される画像の画質を向上させる。出力処理部９７は、中間調処理などＬＳＵ５１に画像データを出力する際のデータ変換処理等を行う。
【００４３】
ここで、本実施形態の複写機１では、複写機１の設置環境、出力特性、感光体ドラム５２やトナーを含む現像剤の疲労等が生ずる長期間の使用等の要因のため、形成される画像の階調のずれ（形成される画像の濃度ずれ）を補正することができる。その階調補正の設定は、画像形成部５により印刷された調整用チャートＣＨを画像読取部３で読み取ることにより行われる。
【００４４】
そして、この階調補正を行うためには、どのように階調を補正すべきか判断するべく、適切に補正を行うための階調補正特性データを得て、階調補正の設定を行う必要がある。その階調補正の特性を得て、設定を行う部分が、階調補正設定部１０である。この階調補正設定部１０は、例えば、階調補正の設定時において、調整用チャートＣＨを読み取って得られた画像データ内の各画素の画素値を変換、換算する画素値変換部１１、換算された画素値に基づき行うべき階調補正特性データを算出する階調補正特性算出部１２、算出された階調補正特性データを記憶するメモリ１３等を有する。
【００４５】
そして、メモリ１３に記憶された階調補正特性データは、図４に示すように、例えば、制御部８に入力され、制御部８による画像形成部５での画像形成条件変更に利用され、或いは、画像処理部９の階調補正部９１による画像データへの階調補正処理での利用に供され、階調補正が実現される。
【００４６】
（階調補正の設定）
次に、図５乃至図９に基づき、本実施形態における階調補正の設定（キャリブレーション）について説明する。図５は、本発明の実施形態に係る複写機１の階調補正の設定時の制御の一例を示すフローチャートである。図６は、本発明の実施形態に係る階調補正の設定時に利用する調整用チャートＣＨの一例である。図７は、調整用チャートＣＨを読み取る際の読取範囲を説明するための説明図である。図８は、本発明の実施形態に係る画素値の変換の一例を説明するための説明図である。図９は、本発明の実施形態に係る階調補正特性データの算出の一例を説明するための説明図である。
【００４７】
まず、階調補正の設定（キャリブレーション）は、例えば、サービスマンによる複写機１のメンテナンス時に行うことができる。又、予め設定された枚数の画像形成が行われた場合や複写機１に設けられる不図示の環境検知センサ（温度センサや湿度センサ）によって、大きな環境変化が検知された場合等に、操作パネル７の液晶表示部７３に階調補正の設定を行う旨の表示を行って、複写機１の使用者によって行われるようにしてもよい。
【００４８】
そして、図５に示すように、階調補正の設定を行う場合、制御部８は、操作パネル７へのサービスマンや使用者の入力を受け、図６に示すような記憶部８２に記憶される調整用チャートＣＨの画像データを読み出し、画像処理部９に入力し、画像処理後の画像データにより、画像形成部５に調整用チャートＣＨの印刷を行わせる(ステップ♯１)。尚、本実施形態では、調整用チャートＣＨの画像データはＲＧＢ形式で記憶されるものとする。このとき、以前に設定されていた階調補正特性データがあれば、階調補正を行って調整用チャートＣＨの印刷が行われても良い。この場合、階調補正の設定は、以前の階調補正特性データの修正する作業といえる。又、階調補正特性データの有無を問わず、階調補正を行わないで調整用チャートＣＨを印刷しても良い。この場合、階調補正の設定は、新たに階調補正特性データを得る作業となる。
【００４９】
本実施形態における調整用チャートＣＨは、図６に示すように、それぞれ濃度が異なる複数のパッチＰＡと、画像形成部５が形成可能な最大濃度パターンＤｍａが配され、調整用チャートＣＨの印刷結果を画像読取部３で読み取って、階調補正の設定に利用する。まず、最大濃度パターンＤｍａは、例えば、調整用チャートＣＨの主走査方向に伸び、一定の幅を有する帯状のラインである。そして、この最大濃度パターンＤｍａ内の各画素は、画像データにおける設定で最も濃い濃度として設定されている。従って、最大濃度パターンＤｍａの各画素の画像データにおける画素値は、（Ｒ；Ｇ；Ｂ＝０，０，０）となり、即ち、最大濃度パターンＤｍａは、黒ベタとして印刷される。
【００５０】
尚、画像形成装置における画像データの扱いにおいては、各チャンネル８ビット分の画素値を有するとすれば、黒のデータの画素値を（Ｒ；Ｇ；Ｂ＝２５５，２５５，２５５）として扱う場合もあり得るが、本実施形態における以下の説明では、白側を２５５、黒側を０として統一して扱う。
【００５１】
そして、調整用チャートＣＨでは、最大濃度パターンＤｍａの下方に、複数のパッチＰＡが形成される。この複数のパッチＰＡは、複数のブロックＢに分けられる。例えば、図６の左から順に、シアンのパッチＰＡ群からなるシアンのブロックＢＣ、マゼンタのパッチＰＡ群からなるマゼンタのブロックＢＭ、イエローのパッチＰＡ群からなるイエローのブロックＢＹ、ブラックのパッチＰＡ群からなるブラックのブロックＢＫと配列される。尚、これらのブロックＢは順不同である。
【００５２】
シアンのブロックＢＣでは、シアントナーにより、例えば１６個のパッチＰＡが形成される。例えば、１６個のパッチＰＡは、主走査方向に２つ、副走査方向に８つ配列されるが、調整用チャートＣＨを記録するシート内であれば、配列方法に特段の決まりはない。又、１ブロック当たりのパッチＰＡの数も１６個に限られない（８個や３２個、厳密には本実施形態では１〜２５６個までの範囲）。そして、マゼンタのブロックＢＭではマゼンタトナーにより、イエローのブロックＢＹではイエロートナーにより、ブラックのブロックＢＫではブラックトナーにより用いて各パッチＰＡが形成される。そして、図６に２点鎖線で示すように、各ブロックＢでは、ブロックＢの左上隅のパッチＰＡを最も低濃度とし、右下隅のパッチＰＡの濃度が最も高濃度とし、最も濃度が低いパッチＰＡから最も濃度が高いパッチＰＡまで、次第に濃度が高くなるように、各パッチＰＡの濃度は異なるように形成される。尚、各パッチＰＡの濃度は、例えば、各色のトナーの階調幅を１６個に等分し、その１６個に等分した各領域の代表値とすることができる。
【００５３】
次に、図５に示すように、階調補正の設定を行うため、サービスマンや使用者によって、印刷した調整用チャートＣＨの読み取りが、画像読取部３で開始される（ステップ♯２）。この読み取りは、例えば、サービスマン等が調整用チャートＣＨの印刷結果を、原稿搬送装置２の原稿トレイ２１や載置読取用コンタクトガラス３３に載置し、操作パネル７のスタートキー７１を押すことにより開始される。
【００５４】
そして、画像読取部３による読み取りが開始されると、まず、画像読取部３は、ランプ３０ａの無点灯状態での読取値を得て（ステップ♯３）、その後、シェーディング板３６を読み取った際の読取値を得る（ステップ♯４）。即ち、シェーディング補正のために、通常の原稿読み取り時に行う動作と同様に、無点灯状態とシェーディング板３６を読み取った際のイメージセンサ３２の出力値を得る。言い換えると、Ａ／Ｄ変換及びシェーディング補正部３８は、印刷された調整用チャートＣＨの読み取り時に、シェーディング板３６を読み取った際の読取値を通常時の白基準として取得しておき、ランプ３０ａの消灯時の読取値を通常時の黒基準として取得しておく。
【００５５】
次に、無点灯状態での読取値を黒基準とし、シェーディング板３６を読み取った際の読取値を白基準として、調整用チャートＣＨが印刷されているシート（例えば、コピー用紙や再生紙等）の色（図６に示す（イ）部分）と最大濃度パターンＤｍａ（図６の（ロ）部分）を読み取って、それぞれの画素値を得る（ステップ♯５）。そして、シートの色の画素値と最大濃度パターンＤｍａの画素値を、例えば、階調補正設定部１０のメモリ１３に保存しておく（ステップ♯５）。
【００５６】
次に、画像読取部３のＡ／Ｄ変換及びシェーディング補正部３８は、調整用チャートＣＨが印刷されているシートの読取値を階調補正設定時のシェーディング補正における白基準とし、最大濃度パターンＤｍａの読取値を階調補正設定時のシェーディング補正における黒基準と設定する（ステップ♯６）。この新たな白基準と黒基準の設定は、図６に示す（ハ）、（ニ）部分の読み取りを行うことで行っても良いし、先に（イ）、（ロ）を読み取った際の読取値を利用しても良い。そして、最大濃度パターンＤｍａの下方に印刷された各パッチＰＡの読み取りを行って、階調補正設定時のシェーディング補正における白基準と黒基準における各パッチＰＡの画素値を得る（ステップ♯７）。即ち、調整用チャートＣＨが印刷された記録媒体（用紙）の色を読み取った際の読取値を階調補正設定時の白基準とし、最大濃度パターンＤｍａの読取値を階調補正設定時の黒基準とし、階調補正設定時の白基準と黒基準の範囲で各パッチＰＡの第１の画素値を出力する。
【００５７】
このように白基準と黒基準を取り直す理由を図７に基づき説明する。ここで、図７では、便宜上、Ｒ、Ｇ、Ｂのうちの１チャンネル分についてのみ図示する（図８、図９でも同様）。尚、当然、他の２チャンネルについても同様に考えることができる。
【００５８】
図７に示すように、通常時のシェーディング補正における白基準と黒基準は、どのような原稿の読み取りが行われても画素値を取得できるように、白基準と黒基準の濃度範囲（図７において、通常時読取範囲として図示）は広くとられる。そのため、白基準を得るためのシェーディング板３６には、通常のコピー用紙よりも白いような、ほぼ純白な板が用いられ、又、黒基準は、ランプ３０ａを点灯しない状態（ほぼ無光状態）でのイメージセンサ３２の出力値が採用される。
【００５９】
しかし、階調補正を行う場合、読み取りを行う対象は、調整用チャートＣＨであって、用紙の色が最も白く、最大濃度パターンＤｍａの濃度、言い換えると黒トナーの色が最も黒くなる。従って、その濃度範囲（図７において、階調補正設定時読取範囲として図示）は、通常時の白基準と黒基準の濃度範囲よりも、狭くなることが通常である。即ち、階調補正を行う場合では、通常時のシェーディング補正ほどの濃度範囲は必要ない。
【００６０】
そして、イメージセンサ３２の読取値（出力値）は、白基準と黒基準の間で階調が決定され、画素値へとディジタル化されるが、複写機１で扱うことのできる最大の画素値（例えば８ビットの２５６階調とすれば、最大の画素値は２５５）は定まっていることから、白基準と黒基準の濃度範囲が広いほど、量子化における刻み幅が広くなり、量子化誤差が大きくなる。階調補正設定を行う場合では、画像読取部３は、各パッチＰＡの濃度測定器として用いると同様と考えられ、量子化における刻み幅は狭い方がよい。そこで、本実施形態の複写機１では、階調補正の設定時、用紙の色を白基準とし、最大濃度パターンＤｍａを黒基準として、各パッチＰＡの画素値を得る（この画素値が特許請求の範囲における第１の画素値となる）。このように濃度範囲を狭くして各パッチの画素値を得るので、量子化誤差の少ない高精度な画素値を得ることができる。
【００６１】
このように、各パッチＰＡの画素値（第１の画素値）を得た後、その各パッチＰＡの画素値は、階調補正設定部１０に入力され、階調補正設定部１０が、換算を行う（ステップ♯８）。具体的には、階調補正設定部１０の画素値変換部１１は、各パッチＰＡの第１の画素値を換算して、Ａ／Ｄ変換及びシェーディング補正部３８が取得しておいた通常時の白基準及び黒基準の範囲における各パッチＰＡの第２の画素値を得る。その理由は、調整用チャートＣＨにおける各パッチＰＡの画素値は、通常時の白基準と黒基準をもとに設定されるところ（通常時の白基準と黒基準は、出荷時、設置時、使用時等、全期間においてほぼ同じである）、一方、階調補正の設定時における白基準はその用紙の色の白さの度合（例えば、コピー用紙、再生紙等）で変化するなど、階調補正設定時の白基準と黒基準のもとに得られた画素値（第１の画素値）をそのまま利用するよりも、換算を行う方がよいと考えられるためである。
【００６２】
そこで、換算方法の一例を図８に基づき説明する。例えば、図８に示すように、階調補正設定時の濃度の読取範囲は、通常時の白基準と黒基準の読取範囲よりも狭いので、例えば、階調補正設定時の読取範囲を通常時の読取範囲に濃度のレンジを変更・拡大する換算を行うことができる（この換算・変換後の画素値が特許請求の範囲における第２の画素値となる）。具体的な一例としては、Ａ／Ｄ変換及びシェーディング補正部３８は、通常時の白基準と黒基準の範囲で、印刷された調整用チャートＣＨの記録媒体の色の画素値（「Ｘ１」とする。）と、最大濃度パターンＤｍａの画素値（「Ｘ２」とする。）を取得しておき、画素値変換部１１は、記録媒体の色を通常時の白基準を一致させ、最大濃度パターンＤｍａの画素値を通常時の黒基準に比例的に一致させて濃度レンジを拡大することにより、第１の画素値を第２の画素値に換算する。
【００６３】
ここで、上述したステップ♯５において、通常時の白基準と黒基準の範囲における調整用チャートＣＨを印刷した紙の画素値（Ｘ１）と、最大濃度パターンＤｍａの画素値（Ｘ２）を取得している。このＸ１とＸ２を用いて、濃度分布を広げる演算を行うことが可能であり、例えば、以下のような変換演算を行うことができる。
【００６４】
まず、第１の各画素値（０〜２５５の整数値）を、通常時の白基準と黒基準におけるシートの画素値（Ｘ１）と最大濃度パターンＤｍａ（Ｘ２）の画素値の間に変換する。即ち、Ｘ１とＸ２の画素値の間を２５６分割して、第１の各画素値を置換する。
ここで、Ｘ１とＸ２の画素値の間に置換後の画素値をＸ´とすると、
Ｘ´  ＝  Ｘ２＋（第１の画素値）×（Ｘ１−Ｘ２）／２５５
となる。例えば、Ｘ１＝２４０、Ｘ２＝３０とすれば、第１の画素値におけるゼロは、Ｘ´＝３０に置換され、第１の画素値における２５５は、Ｘ´＝２４０に置換される。
【００６５】
次に、Ｘ１を通常時白基準に合わせ、Ｘ２を通常時黒基準に合わせ、例えば以下の式により、レンジを拡大するように変換・換算作業を行う。まず、換算後の画素値（第２の画素値）をＹとすると、
Ｙ＝Ａ×（Ｘ´−ａ）／（ｂ−ａ）
但し、Ｙ：換算後の画素値（第２の画素値）
Ａ：換算後のレンジ幅（最大画素値−最小画素値、２５５−０＝２５５）
ａ：換算前の通常時読取範囲での最小画素値（本例では、Ｘ２）
ｂ：換算前の通常時読取範囲での最大画素値（本例では、Ｘ１）
となる。このような、Ｘ´やＹを求める演算においては、小数点以下まで利用して演算を行うことができるので、非常に高精度に第１の画素値を第２の画素値に換算することができる。
【００６６】
次に、例えば、図９に示すように、階調補正特性算出部１２が、換算後の第２の画素値と、各パッチＰＡの理想的な値（例えば、調整用チャートＣＨの画像データにおける各パッチＰＡの画素値）とを比較する。そして、印刷された調整用チャートＣＨでの各パッチＰＡの濃度と理想的な各パッチＰＡの差を、調整用チャートＣＨにおける全パッチＰＡについて求めることで、行うべき階調補正特性データを算出する（ステップ♯９）。即ち、階調補正設定部１０に設けられる階調補正特性算出部１２は、第２の画素値と調整用チャートＣＨの画像データでの各パッチＰＡの画素値との対比に基づき階調補正特性データを算出する。
【００６７】
例えば、図９に示すように、換算後の調整用チャートＣＨでの各パッチＰＡのうちの１つの画素値を例に挙げて説明すると、あるパッチＰＡについて調整用チャートを読み取って得られた換算後の画素値が例えばＤ１であり、調整用チャートＣＨの画像データにおけるそのパッチＰＡの理想的な画素値をＤ２とすると、（Ｄ２−Ｄ１）により理想的な濃度と、実際の印刷物における濃度とのずれΔＤを演算、検出することができる。このずれΔＤを各パッチＰＡについて求めれば、行うべき階調補正特性データを得ることができる。即ち、どの色のどの濃度に関しては、濃度を高くする補正を行うべきであり、どの色のどの濃度に関しては、濃度を低くするべきであるという階調補正特性データを得ることができる。そして、階調補正特性データを例えば、階調補正設定部１０のメモリ１３（記憶部８２でもよい）に記憶して（ステップ♯１０）、階調補正の設定動作は完了する。尚、各パッチＰＡの印刷物における画素値と理想的な画素値とのずれΔＤの演算結果により、例えば、階調補正部９１のγ補正のためのルックアップテーブルから最適なγ補正曲線を選択するようにしてもよい。この場合、最適なγ補正曲線や、ルックアップテーブル内のアドレスを階調補正設定部１０のメモリ１３に記憶しても良い。
【００６８】
尚、換算後の各パッチＰＡについての第２の画素値をどのように利用して階調補正の設定を行い、どのように階調補正を行うかは様々な方法があるので、上述した例は、その一例である（その他の方法の一例としては、重み付けを行いつつ階調補正の設定を行うなど）。しかし、様々な方法のうち、どのような階調補正の設定を行い、階調補正を実行したとしても、本発明では、各パッチＰＡは精度高く読み取られ、その高精度な読取データ（画素値）を利用することができるので、階調補正を的確に行う効果が得られる。
【００６９】
更に、感光体ドラム５２やトナーの疲労により、最大濃度パターンＤｍａの濃度が予め定められた所定値に到っていない（薄すぎる）ならば、ひとまず、所定値と、最大濃度パターンＤｍａの画素値を比較して、そのずれを演算するようにしてもよい。そして、そのずれに基づき、制御部８が、形成される画像の濃度を高めるように画像形成条件を変化させ、変化させた画像形成条件のもと、再度調整用チャートＣＨを印刷して、その調整用チャートＣＨの読み取りを行って、各パッチＰＡの画素値と理想的な画素値とを比較して階調補正特性データを得てもよい。
【００７０】
次に、図１０に基づき、階調補正を行いつつ画像形成を行う場合の制御の一例について説明する。図１０は、本発明の実施形態に係る階調補正を行って画像形成を行う場合の制御の一例を示すフローチャートである。
【００７１】
まず、スタートは、階調補正設定後、操作パネル７でのスタートキー７１の押下があった場合等、画像形成開始指示が複写機１に入力された時点である。次に、制御部８は、記憶部８２や画像読取部３を動作させ、画像形成を行う画像データを画像処理部９に入力する（ステップ♯１１）。次に、制御部８及び画像処理部９は、階調補正設定部１０のメモリ１３から階調補正特性データを読み出す（ステップ♯１２）。次に、制御部８及び画像処理部９は、階調補正特性データに基づき、階調補正を実施する（ステップ♯１３）。例えば、画像処理部９が画像データにおける各画素の画素値の調整を行い、或いは、制御部８は、形成された最大濃度パターンＤｍａの濃度が予め設定された所定値よりも低い場合、印加する現像バイアスや転写バイアスの値を大きくしたりして、形成される画像全体の濃度を高める。尚、画像データの各画素の画素値の調整や画像形成条件の変更を同時に行ってもよい。言い換えると、本実施形態の複写機１は、画像形成時、入力画像データに対して階調補正特性データに基づき階調補正を施して画像データを出力する階調補正部９１、及び／又は、階調補正特性データに基づき画像形成部５の画像形成条件を調整する画像形成調整部を備え、この構成により階調補正が実行される。
【００７２】
次に、画像処理部９から出力された画像データが、ＬＳＵ５１に入力され、画像データに基づき画像形成部５で画像形成がなされる（ステップ♯１４）。そして、１枚の画像について階調補正を施した上での画像形成動作が完了する（エンド）
【００７３】
このようにして、本実施形態の構成によれば、階調補正設定時には、用紙の色を白基準とし、最大濃度パターンＤｍａを黒基準とするので、調整用チャートＣＨの各パッチＰＡの画素値を高精度に得ることができる。さらに、高精度に求められた各パッチＰＡの階調値を通常時の読み取り範囲に適用することができる。そして、高精度に得られた各パッチＰＡの画素値を利用すれば、例えば、製品出荷時や、製品設置時や、メンテナンス時の階調補正の設定に利用することができる。
【００７４】
又、換算においては、種々の方法が考えられるが、例えば、記録媒体としての用紙の色を通常時の白基準を一致させ、最大濃度パターンＤｍａの画素値を通常時の黒基準に比例的に一致させるので、的確に画素値の換算を行うことができる。又、階調補正の方法は様々な方法があるが、例えば、第２の画素値と調整用チャートＣＨの画像データの各パッチＰＡの画素値との対比に基づき階調補正特性データを算出するので、このデータに基づき、階調補正を実施することができ、印刷結果において、適切に階調を再現することができる。
【００７５】
又、画像形成時、入力画像データに対して階調補正特性データに基づき階調補正を施して画像データを出力する階調補正部９１を備えるので、画像データにおける各画素の画素値を補正して階調補正を行うことができる。又、階調補正特性データに基づき画像形成部５の画像形成条件を調整する制御部８（画像形成調整部）を備えるので、画像形成条件を変更して階調補正を行うこともできる。更に、カラー画像を形成する画像形成装置においても、階調補正の設定を行うことができ、適切な階調補正を行うことができる。
【００７６】
以上、本発明の実施形態につき説明したが、本発明の範囲はこれに限定されるものではなく、発明の主旨を逸脱しない範囲で種々の変更を加えて実施することができる。
【産業上の利用可能性】
【００７７】
本発明は、画像読取部３と画像形成部５を有し、調整用チャートＣＨを印刷して、調整用チャートＣＨを画像読取部３で読み取って階調補正の設定を行う画像形成装置に利用可能である。
【図面の簡単な説明】
【００７８】
【図１】実施形態に係る複写機１の模型的正面断面図である。
【図２】（ａ）は原稿搬送装置２と画像読取部３の部分拡大図、（ｂ）は画像形成部５の一部拡大模型的断面図である。
【図３】実施形態に係る複写機１のハードウェア構成の一例を示すブロック図である。
【図４】実施形態に係る画像読取部３や画像処理部９の一例を示すブロック図である。
【図５】実施形態に係る複写機１の階調補正の設定時の制御の一例を示すフローチャートである。
【図６】実施形態に係る階調補正の設定時に利用する調整用チャートＣＨの一例である。
【図７】調整用チャートＣＨを読み取る際の読取範囲を説明するための説明図である。
【図８】実施形態に係る画素値の変換の一例を説明するための説明図である。
【図９】実施形態に係る階調補正特性データの算出の一例を示す説明図である。
【図１０】実施形態に係る階調補正を行って画像形成を行う場合の制御の一例を示すフローチャートである。
【符号の説明】
【００７９】
１      複写機（画像形成装置）          ３      画像読取部
３０ａ  ランプ                          ３２    イメージセンサ
３６    シェーディング板
３８    Ａ／Ｄ変換及びシェーディング補正部（シェーディング補正部）
５      画像形成部
５０Ｋ、５０Ｃ、５０Ｍ、５０Ｙ  画像形成ユニット
８      制御部（画像形成調整部）        ８２    記憶部
９      画像処理部                      ９１    階調補正部
１０    階調補正設定部                  １１    画素値変換部
１２    階調補正特性算出部              ＰＡ    パッチ
Ｄｍａ  最大濃度パターン                ＣＨ    調整用チャート
【図１】
0004912342.tif 000002
【図２】
0004912342.tif 000003
【図３】
0004912342.tif 000004
【図４】
0004912342.tif 000005
【図５】
0004912342.tif 000006
【図６】
0004912342.tif 000007
【図７】
0004912342.tif 000008
【図８】
0004912342.tif 000009
【図９】
0004912342.tif 000010
【図１０】
0004912342.tif 000011